(57)【要約】【課題】電気分解装置を備える温度調節水供給機において、電気分解の効率を高める。【解決手段】温度調節水供給機１１は、水を加熱する水熱交換器２１と、水入口４３及び水出口４５を有する容器４７と容器４７内に設けられた電極５１，５２とを有し、水熱交換器２１に送る水に含まれるスケール成分を除去する電気分解装置４１と、電気分解処理された処理水の一部が流入する循環路８１を有し、前記処理水の一部を上流側に戻す循環機構８０と、を備える。電気分解装置４１は、容器４７内において電極５１，５２よりも水の流れの下流側に設けられ、前記処理水に含まれるガスが循環路８１に流入するのを抑制する流入抑制部６０をさらに有する。【選択図】図２
2014129946.tif 000002
【特許請求の範囲】
【請求項１】
水を加熱する水熱交換器（２１）と、
水入口（４３）及び水出口（４５）を有する容器（４７）と前記容器（４７）内に設けられた電極（５１，５２）とを有し、前記水熱交換器（２１）に送る水に含まれるスケール成分を除去する電気分解装置（４１）と、
電気分解処理された処理水の一部が流入する循環路（８１）を有し、前記処理水の一部を上流側に戻す循環機構（８０）と、を備え、
前記電気分解装置（４１）は、
前記容器（４７）内において前記電極（５１，５２）よりも水の流れの下流側に設けられ、前記処理水に含まれるガスが前記循環路（８１）に流入するのを抑制する流入抑制部（６０）をさらに有する温度調節水供給機。
【請求項２】
前記処理水の一部は、前記容器（４７）の下部から前記循環路（８１）に流入する、請求項１に記載の温度調節水供給機。
【請求項３】
前記流入抑制部（６０）は、前記容器（４７）内において前記処理水を回り込ませるように前記処理水の流れを変える隔壁（６１，６２，６４）を含む、請求項１又は２に記載の温度調節水供給機。
【請求項４】
前記隔壁は、前記処理水が通過する第１開口部（６１ａ）を前記容器（４７）内に形成する第１隔壁（６１）と、前記処理水が通過する第２開口部（６２ａ）を前記容器（４７）内に形成する第２隔壁（６２）とを含み、
前記第１開口部（６１ａ）及び前記第２開口部（６２ａ）は、前記電極（５１，５２）間の水流路の下流側端部から出た前記処理水が前記循環路（８１）に至るまでに蛇行した経路をたどるような位置に設けられている、請求項３に記載の温度調節水供給機。
【請求項５】
前記処理水の一部は、前記容器（４７）の底部に設けられた流入口（４６）を通じて前記循環路（８１）に流入し、
前記隔壁（６４）は、前記流入口（４６）の周囲のうち少なくとも前記電極側の領域に設けられている、請求項３又は４に記載の温度調節水供給機。
【請求項６】
前記処理水の一部は、前記容器（４７）の底部に設けられた流入口（４６）を通じて前記循環路（８１）に流入し、
前記隔壁（６４）は、前記流入口（４６）の全周を囲むように上方に筒状に延びるとともに上部が塞がれており、前記隔壁（６４）における前記電極側とは反対側に通水孔（６４ａ）が設けられている、請求項３又は４に記載の温度調節水供給機。
【請求項７】
前記通水孔（６４ａ）の開口面積は、前記流入口（４６）の開口面積よりも小さい、請求項６に記載の温度調節水供給機。
【請求項８】
前記流入抑制部（６０）は、前記容器（４７）内において前記処理水に含まれるガスの一部をトラップするトラップ部材（６３）を含む、請求項１〜７の何れか１項に記載の温度調節水供給機。
【請求項９】
前記トラップ部材（６３）は、前記処理水に含まれるガスが付着するトラップ面（６３ａ）を有する、請求項８に記載の温度調節水供給機。
【請求項１０】
前記トラップ部材（６３）は、多数の貫通孔（６３ｂ）を有する、請求項８に記載の温度調節水供給機。
【請求項１１】
前記容器（４７）の上部には、前記容器（４７）内のガスを前記容器（４７）外に排出するガス排出口（５０）が設けられている、請求項１〜１０の何れか１項に記載の温度調節水供給機。
【発明の詳細な説明】
【技術分野】
【０００１】
本発明は、電気分解装置を備えるヒートポンプ給湯機、ヒートポンプ温水暖房機、燃焼式給湯機、電気温水機、冷却塔などの温度調節水供給機に関するものである。
【背景技術】
【０００２】
水道水や地下水には、スケールの発生原因となるカルシウムイオン、マグネシウムイオンなどの成分（スケール成分）が含まれている。したがって、給湯機などの温度調節水供給機においては、カルシウム塩（例えば炭酸カルシウム）、マグネシウム塩などのスケールが析出することがある。温度調節水供給機の水熱交換器では水が加熱されて水の温度が高くなるので、特にスケールが析出しやすい。スケールが水熱交換器における管の内面に析出して堆積すると、水熱交換器の伝熱性能が低下する、管の流路が狭くなるなどの問題が生じることがある。また、地下水や井戸水などの水は、水道水（浄水）に比べて、スケール成分が多く含まれていることが多いので、スケールがより析出しやすい傾向にある。
【０００３】
したがって、水熱交換器においてスケールが付着するのを抑制するために、水熱交換器よりも上流に設けられた電気分解装置において、水中のスケール成分を電気分解によって除去する技術が提案されている（例えば特許文献１）。前記電気分解装置は、水が出入りする水入口及び水出口を有する容器と、容器内に配置された複数の電極対とを備える。電極対に電圧が印加された状態で水が水入口を通じて容器内に供給されると、電極対の陰極側において炭酸カルシウム等のスケールが析出する。これにより、水出口を通じて容器外に流出する水に含まれるスケール成分の濃度が低減される。
【０００４】
ところで、水熱交換器におけるスケールの析出を抑制する効果を高めるためには、電気分解装置において電気分解効率を高める必要がある。特許文献１の図１２には、電気分解処理された処理水の一部を上流側に戻して電気分解装置に再度流入させることにより、電気分解の効率を高める技術が開示されている。具体的に、電気分解装置には、循環路と、この循環路に設けられた循環用ポンプとが設けられており、循環用ポンプが運転されると、処理水の一部が循環路に流入し、上流側に戻される。
【先行技術文献】
【特許文献】
【０００５】
【特許文献１】特開２０１２−０７５９８２号公報
【発明の概要】
【発明が解決しようとする課題】
【０００６】
しかしながら、電気分解装置の容器内においては、電気分解によってガスが発生し、このガスが水とともに循環路に流入して循環用ポンプに至ると、循環用ポンプによって循環される水量が低下し、その結果、電気分解の効率が低下する。
【０００７】
本発明の目的は、電気分解装置を備える温度調節水供給機において、電気分解の効率を高めることである。
【課題を解決するための手段】
【０００８】
本発明の温度調節水供給機１１は、水熱交換器（２１）と、電気分解装置（４１）と、循環機構（８０）とを備える。前記水熱交換器（２１）は、水を加熱する。前記電気分解装置（４１）は、水入口（４３）及び水出口（４５）を有する容器（４７）と、前記容器（４７）内に設けられた電極（５１，５２）とを有する。前記電気分解装置（４１）は、前記水熱交換器（２１）に送る水に含まれるスケール成分を除去する。前記循環機構（８０）は、電気分解処理された処理水の一部が流入する循環路（８１）を有し、前記処理水の一部を上流側に戻す。前記電気分解装置（４１）は、前記容器（４７）内において前記電極（５１，５２）よりも水の流れの下流側に設けられ、前記処理水に含まれるガスが前記循環路（８１）に流入するのを抑制する流入抑制部（６０）をさらに有する。
【０００９】
この構成では、電気分解装置（４１）の容器（４７）内において電極（５１，５２）よりも下流側に流入抑制部（６０）が設けられており、流入抑制部（６０）は、前記処理水に含まれるガスが循環路（８１）に流入するのを抑制するので、循環用ポンプ（８２）によって循環される水量の低下を抑制するこができる。これにより、循環水が容器（４７）内に供給されるときの水を撹拌する機能の低下が抑制されるので、電気分解の効率を高めることができる。
【００１０】
前記温度調節水供給機において、前記処理水の一部は、前記容器（４７）の下部から前記循環路（８１）に流入するという形態であるのが好ましい。処理水に含まれるガスは、水中において浮力を受けて上昇する傾向にあるので、流入口（４６）が容器（４７）の下部に設けられていることにより、ガスが循環路（８１）にさらに流入しにくくなる。
【００１１】
前記温度調節水供給機において、前記流入抑制部（６０）は、前記容器（４７）内において前記処理水を回り込ませるように前記処理水の流れを変える隔壁（６１，６２，６４）を含んでいるのが好ましい。
【００１２】
この構成では、隔壁（６１，６２，６４）が前記容器（４７）内において前記処理水を回り込ませるように前記処理水の流れを変えるので、隔壁（６１）が設けられていない場合に比べて、処理水が下流側に移動するときの移動距離や移動時間を長くすることができる。電気分解によって生じるガスの気泡は、微細であるので、上昇するのに時間がかかるが、本構成のように処理水の移動距離や移動時間を長くすることができると、その間に気泡が上昇し、流入口（４６）から遠ざかるガスの量を増加させることができるので、循環路（８１）に流入するガスの量を低減することができる。
【００１３】
前記温度調節水供給機において、前記隔壁は、前記処理水が通過する第１開口部（６１ａ）を前記容器（４７）内に形成する第１隔壁（６１）と、前記処理水が通過する第２開口部（６２ａ）を前記容器（４７）内に形成する第２隔壁（６２）とを含み、前記第１開口部（６１ａ）及び前記第２開口部（６２ａ）は、前記電極（５１，５２）間の水流路の下流側端部から出た前記処理水が前記循環路（８１）に至るまでに蛇行した経路をたどるような位置に設けられているのが好ましい。
【００１４】
この構成では、電極（５１，５２）間の水流路の下流側端部から出た処理水は、循環路（８１）に至るまでに蛇行した経路をたどるので、処理水が下流側に移動するときの移動距離や移動時間が長くなる。これにより、循環路（８１）に流入するガスの量を低減する効果を高めることができる。
【００１５】
前記温度調節水供給機において、前記処理水の一部は、前記容器（４７）の底部に設けられた流入口（４６）を通じて前記循環路（８１）に流入し、前記隔壁（６４）は、前記流入口（４６）の周囲のうち少なくとも前記電極側の領域に設けられていてもよい。
【００１６】
この構成では、処理水の一部は、隔壁（６４）を回り込むようにして流入口（４６）側に移動する必要がある。したがって、この構成では、隔壁（６４）が設けられていない場合に比べて、処理水が流入口（４６）側に移動するときの移動距離や移動時間を長くすることができる。移動距離や移動時間が長くなると、その間に、浮力によって上昇して流入口（４６）から遠ざかるガスの量を増加させることができるので、循環路（８１）に流入するガスの量を低減することができる。
【００１７】
前記温度調節水供給機において、前記処理水の一部は、前記容器（４７）の底部に設けられた流入口（４６）を通じて前記循環路（８１）に流入し、前記隔壁（６４）は、前記流入口（４６）の全周を囲むように上方に筒状に延びるとともに上部が塞がれており、前記隔壁（６４）における前記電極側とは反対側に通水孔（６４ａ）が設けられていてもよい。
【００１８】
この構成では、処理水の一部が流入口（４６）にたどり着くためには、電極側とは反対側に設けられた通水孔（６４ａ）を通じて隔壁（６４）内に流入する必要がある。したがって、この構成では、処理水が流入口（４６）側に移動するときの移動距離や移動時間をさらに長くすることができる。これにより、循環路（８１）に流入するガスの量をさらに低減することができる。
【００１９】
前記温度調節水供給機において、前記通水孔（６４ａ）の開口面積は、前記流入口（４６）の開口面積よりも小さいことが好ましい。
【００２０】
この構成では、通水孔（６４ａ）の開口面積が上記のように小さいので、処理水が通水孔（６４ａ）に流入するときの抵抗がさらに大きくなる。抵抗が大きくなると、処理水が通水孔（６４ａ）に流入するのに要する時間も長くなる傾向にあるので、循環路（８１）に流入するガスの量をさらに低減することができる。
【００２１】
前記温度調節水供給機において、前記流入抑制部（６０）は、前記容器（４７）内において前記処理水に含まれるガスの一部をトラップするトラップ部材（６３）を含んでいてもよい。
【００２２】
この構成では、処理水の一部が循環路（８１）に流入するまでに、トラップ部材（６３）によって処理水に含まれるガスの一部がトラップされるので、循環路（８１）に流入するガスの量を低減することができる。
【００２３】
前記温度調節水供給機において、前記トラップ部材（６３）は、前記処理水に含まれるガスが付着するトラップ面（６３ａ）を有しているのが好ましい。
【００２４】
この構成では、処理水がトラップ部材（６３）よりも上流側の空間からトラップ部材（６３）よりも下流側の空間に移動するときに、処理水に含まれるガスの一部がトラップ面（６３ａ）に気泡の状態で付着する。これにより、循環路（８１）に流入するガスの量を低減することができる。
【００２５】
前記温度調節水供給機において、前記トラップ部材（６３）は、多数の貫通孔（６３ｂ）を有していてもよい。
【００２６】
この構成では、処理水がトラップ部材（６３）よりも上流側の空間からトラップ部材（６３）よりも下流側の空間に移動するときに、処理水に含まれるガスの一部が貫通孔（６３ｂ）又はその近傍に気泡の状態で付着する。これにより、循環路（８１）に流入するガスの量を低減することができる。
【００２７】
前記温度調節水供給機において、前記容器（４７）の上部には、前記容器（４７）内のガスを前記容器（４７）外に排出するガス排出口（５０）が設けられているのが好ましい。流入抑制部（６０）によって循環路（８１）への流入が阻止されたガスは、水出口（４５）を通じて水とともに容器（４７）外に排出されてもよいが、本構成のようにガス排出口（５０）が容器（４７）の上部に設けられている場合には、このガス排出口（５０）からガスを効率よく排出することができる。
【発明の効果】
【００２８】
以上説明したように、本発明によれば、電気分解装置を備える温度調節水供給機において、電気分解の効率を高めることができる。
【図面の簡単な説明】
【００２９】
【図１】本発明の実施形態に係るヒートポンプ給湯機を示す構成図である。
【図２】（Ａ），（Ｂ）は、前記実施形態に係るヒートポンプ給湯機に用いられる電気分解装置及び循環機構を示す断面図である。
【図３】（Ａ），（Ｂ）は、本発明の第１実施形態における電気分解装置を示す断面図である。
【図４】（Ａ），（Ｂ）は、本発明の第２実施形態における電気分解装置を示す断面図である。
【図５】（Ａ），（Ｂ）は、本発明の第３実施形態における電気分解装置を示す断面図である。
【図６】（Ａ），（Ｂ）は、本発明の第４実施形態における電気分解装置を示す断面図である。（Ｃ）は、第４実施形態の変形例を示す断面図である。
【図７】（Ａ）は、前記電気分解装置及び循環機構の変形例１を示す断面図であり、（Ｂ）は、前記電気分解装置及び循環機構の変形例２を示す断面図であり、（Ｃ）は、前記電気分解装置及び循環機構の変形例３を示す断面図である。
【図８】（Ａ）は、前記電気分解装置及び循環機構の変形例４を示す断面図であり、（Ｂ）は、前記電気分解装置及び循環機構の変形例５を示す断面図である。
【図９】前記電気分解装置及び前記循環機構を備えた冷却塔、燃焼式給湯機又は電気温水機の構成を示す概略図である。
【図１０】（Ａ）は、参考例の電気分解装置及び循環機構を示す断面図であり、（Ｂ）は、参考例における要部の断面図である。
【発明を実施するための形態】
【００３０】
以下、本発明の実施形態に係る温度調節水供給機（温度調節された水を供給する装置）について図面を参照しながら説明する。温度調節水供給機としては、ヒートポンプ給湯機、ヒートポンプ温水暖房機、燃焼式給湯機、電気温水機、冷却塔などが例示できるが、以下では主にヒートポンプ給湯機について説明する。
【００３１】
＜ヒートポンプ給湯機＞
図１に示すように、本実施形態に係るヒートポンプ給湯機１１は、冷媒回路１０ａと、貯湯回路１０ｂとを備えている。冷媒回路１０ａは、圧縮機１９、水熱交換器２１、膨張機構としての電動膨張弁２３、空気熱交換器２５、及びこれらを接続する冷媒配管を含む。貯湯回路１０ｂは、タンク１５、メインポンプ３１、電気分解装置４１、循環機構８０、水熱交換器２１、及びこれらを接続する導水路２７，２９を含む。水熱交換器２１は、２つの流路を有し、一方の流路は、冷媒回路１０ａに含まれており、他方の流路は、貯湯回路１０ｂに含まれている。冷媒回路１０ａ及び貯湯回路１０ｂの運転は、制御部３２によって制御される。
【００３２】
圧縮機１９、水熱交換器２１、電動膨張弁２３及び空気熱交換器２５はヒートポンプユニット１３内に設けられている。タンク１５及びメインポンプ３１は、貯湯ユニット１７内に設けられている。導水路２７，２９は、タンク１５の水を水熱交換器２１に送る入水配管２７と、水熱交換器２１と熱交換して加熱された水をタンク１５に戻す出湯配管２９とを含む。
【００３３】
メインポンプ３１は、貯湯回路１０ｂにおいて水を送るためのものであり、本実施形態では入水配管２７に設けられているが、メインポンプ３１の配設位置はこれに限定されない。メインポンプ３１の運転により、タンク１５内の水は、タンク１５の下部から流出し、入水配管２７、水熱交換器２１および出湯配管２９の順に送られて、タンク１５の上部に戻る。
【００３４】
本実施形態では、冷媒回路１０ａを循環する冷媒として二酸化炭素を用いているが、これに限定されない。冷媒回路１０ａを循環する冷媒は、水熱交換器２１において貯湯回路１０ｂを循環する水と熱交換してこの水を加熱し、空気熱交換器２５において外気と熱交換して外気から熱を吸収する。
【００３５】
タンク１５には給水配管３７と給湯配管３５とが接続されている。給湯配管３５は、タンク１５の上部に接続されている。この給湯配管３５は、タンク１５内に貯留された高温の水を取り出して浴槽などへ給湯するために設けられている。給水配管３７は、タンク１５の底部に接続されている。この給水配管３７は、給水源からタンク１５内に低温の水を給水するために設けられている。タンク１５へ水を給水する給水源としては、例えば水道水や、井戸水などの地下水を利用することができる。本実施形態の給湯機１１は、給湯配管３５から給湯された水をタンク１５に戻さない一過式の給湯機であるが、これに限定されない。
【００３６】
電気分解装置４１は、水熱交換器２１に送る水に含まれるスケール成分を除去する機能を有する。電気分解装置４１は、入水配管２７における水熱交換器２１よりも上流側の位置で且つメインポンプ３１の下流側の位置に設けられている。入水配管２７は、電気分解装置４１よりも上流側の上流側主経路２７Ａと、電気分解装置４１よりも下流側の下流側主経路２７Ｂとを含む。電気分解装置４１の詳細については後述する。
【００３７】
制御部３２は、中央演算処理装置３３やメモリ３４などを有する例えばマイクロコンピュータによって構成されている。メモリ３４には、タンク１５内の水を沸き上げる沸上げ運転のスケジュールなどが記憶されており、制御部３２は、そのスケジュールに基づいて沸上げ運転を実行する。なお、沸上げ運転は、スケジュールされた時期以外の時期においても必要に応じて実行される場合もある。通常運転は、例えば水使用量の少ない夜間の時間帯、電気料金が低い時間帯などに実行されるようにスケジュールされているのが好ましいが、これに限定されない。
【００３８】
本実施形態のヒートポンプ給湯機１１は、一過式の給湯機である。この一過式の給湯機１１では、給湯配管３５から給湯された水（湯）は、ユーザーによって使用され、タンク１５には戻らない。したがって、タンク１５から給湯配管３５を通じて給湯された水量とほぼ同じ量の水が給水源から給水配管３７を通じてタンク１５に給水される。すなわち、タンク１５には、水道水や井戸水などの給水源からスケール成分を含む水がタンク１５に補充される頻度が高く、補充される量も多い。したがって、一過式のヒートポンプ給湯機の場合には、循環式の冷却水循環装置や循環式の給湯機に比べて、効率よくスケール成分を除去する必要がある。
【００３９】
次に、ヒートポンプ給湯機１１の動作について説明する。タンク１５内の水を沸上げる通常運転では、制御部３２は、ヒートポンプユニット１３の圧縮機１９を駆動させ、電動膨張弁２３の開度を調節するとともに、貯湯ユニット１７のメインポンプ３１を駆動させる。これにより、図１に示すように、タンク１５の底部に設けられた出水口からタンク１５内の低温の水が入水配管２７を通じて水熱交換器２１に送られ、水熱交換器２１において加熱される。加熱された高温の水は出湯配管２９を通じてタンク１５の上部に設けられた入水口からタンク１５内に戻される。これにより、タンク１５内には、その上部から順に高温の水が貯湯される。
【００４０】
＜電気分解装置及び循環機構＞
次に、電気分解装置４１及び循環機構８０の一例について具体的に説明するが、電気分解装置４１及び循環機構８０は、以下の実施形態に限定されない。図２（Ａ），（Ｂ）は、ヒートポンプ給湯機１１に用いられる電気分解装置４１及び循環機構８０を示す断面図である。図２（Ａ）は、鉛直方向に平行な平面で電気分解装置４１及び循環機構８０を切断したときの断面図であり、電気分解装置４１及び循環機構８０の当該断面を側面視した図である。図２（Ｂ）は、水平方向に平行な平面で電気分解装置４１及び循環機構８０を切断したときの断面図であり、電気分解装置４１及び循環機構８０の当該断面を平面視した図である。
【００４１】
本実施形態の電気分解装置４１は、流入抑制部６０を有していることを特徴としている。流入抑制部６０は、容器４７内において電極５１，５２よりも水の流れの下流側に設けられている。流入抑制部６０は、電気分解処理された水（処理水）に含まれるガスが循環路８１に流入するのを抑制する。流入抑制部６０の詳細については後述する。
【００４２】
（電気分解装置）
図２（Ａ），（Ｂ）に示すように、電気分解装置４１は、容器４７と、容器４７内に設けられた複数の電極５１，５２とを有する。図２（Ｂ）に示すように、容器４７内には、複数の電極５１，５２によって水流路が形成されている。本実施形態では、水流路は、複数の電極５１，５２によって形成された一続きの蛇行流路であるが、これに限られない。水流路は、例えば図８（Ｂ）に示す後述の変形例５のように蛇行流路でない流路であってもよい。また、本実施形態における蛇行流路は、図２（Ｂ）に示すように水平方向に蛇行しているが、これに限られない。蛇行流路は、例えば上下方向に蛇行していてもよい。
【００４３】
本実施形態では、容器４７は略直方体形状を有するが、これに限定されない。容器４７内には、水が流れる水流空間が設けられている。容器４７は、互いに対向する第１壁部４７１及び第２壁部４７２を有する。また、容器４７は、第１壁部４７１と第２壁部４７２をつなぐ側壁部を有する。本実施形態では、側壁部は、下壁を構成する第３壁部４７３と、上壁を構成する第４壁部４７４と、左壁を構成する第５壁部４７５と、右壁を構成する第６壁部４７６とを含むが、これに限られない。
【００４４】
容器４７は、水入口４３と、水出口４５とを有する。容器４７の水入口４３は、第１壁部４７１に設けられており、水出口４５は、第２壁部４７２に設けられているが、これに限定されない。水入口４３及び水出口４５の一方又は両方は、前記側壁部に設けられていてもよい。水入口４３には、図１に示すタンク１５側に位置する入水配管２７（上流側主経路２７Ａ）が接続されており、水出口４５には図１に示す水熱交換器２１側に位置する入水配管２７（下流側主経路２７Ｂ）が接続されている。
【００４５】
複数の電極５１，５２は、複数の第１電極５１と複数の第２電極５２とを含む。複数の第１電極５１及び複数の第２電極５２は、第１電極５１と第２電極５２が交互に配置されるように、一方向（電極の厚さ方向）に配列されている。本実施形態では、図２（Ｂ）に示すように、複数の第１電極５１は、第３壁部４７３から第４壁部４７４側に向かって延びており、複数の第２電極５２は、第４壁部４７４から第３壁部４７３側に向かって延びている。本実施形態では、各電極は、第１壁部４７１に平行な姿勢で配置されているが、これに限定されない。
【００４６】
隣り合う電極５１，５２は、電極対４９を構成している。電極対４９の一方の電極が陽極として機能し、他方の電極が陰極として機能するように、複数の電極５１，５２が図略の電源に接続されている。電源としては、例えば直流電源が用いられる。本実施形態では、複数の第１電極５１及び複数の第２電極５２は、電源に対して並列に接続されているが、これに限定されない。
【００４７】
各電極は、耐食性に優れた材料により形成されている。各電極を主に構成する材料としては、白金、チタンなどが例示できる。具体的には次の通りである。例えば、各電極は、少なくとも表面が白金を主成分とする材料により形成されているのが好ましい。具体的に、各電極の全体が白金を主成分とする材料（白金、白金合金などの材料）により形成されている形態が例示できる。また、各電極が、白金よりもイオン化傾向の大きい材料（すなわち、水中において白金よりも酸化されやすい材料）により形成された電極本体と、この電極本体の表面に白金を主成分とする材料（白金、白金合金などの材料）により形成されたコーティング層とを有する形態が例示できる。電極本体の材料としては、例えばチタンを主成分とする材料（チタン、チタン合金などの材料）などが例示できる。また、水中において白金よりも酸化されやすいものの比較的耐食性に優れた材料として例えばチタンを主成分とする材料（チタン、チタン合金などの材料）などによって各電極が形成されていてもよい。
【００４８】
各電極の形状としては、例えば板形状、棒形状などの種々の形状を採用することができるが、本実施形態では板形状を採用している。これにより、各電極の表面積を大きくすることができる。また、本実施形態では、複数の第１電極５１及び複数の第２電極５２は、互いに平行な姿勢で配置されており、電極の厚さ方向に互いに間隔をあけて配列されている。電極同士の隙間は、水が流れる流路として機能する。本実施形態では、容器４７内において水が蛇行しながら流れる蛇行流路が形成されるように複数の第１電極５１及び複数の第２電極５２が配置されている。
【００４９】
タンク１５内の水を沸き上げる沸上げ運転時には、電気分解装置４１の電極対４９に電圧が印加される。電気分解装置４１の電気分解条件としては、電極対４９に予め定められた電流値の電流を流す条件、電極対４９に予め定められた電圧が印加される条件、これらの条件を組み合わせた条件などが例示できるが、これらに限定されない。
【００５０】
沸上げ運転時には、水入口４３及び水出口４５の一方から容器４７内に流入した水が水入口４３及び水出口４５の他方から容器４７外に流出するまでの間に、水に含まれるスケール成分が電極対４９の陰極にスケールとして析出する。これにより、電気分解装置４１においてスケール成分濃度が低減された水を水熱交換器２１に送ることができる。
【００５１】
（循環機構）
循環機構８０は、容器４７内の水又は容器４７の水出口４５から流出した水を上流側に戻す機能を有する。循環機構８０は、循環路（ポンプ吸込配管）８１と、循環路８１に水を流す循環用ポンプ（水ポンプ）８２とを含む。循環用ポンプ８２は、循環路８１に設けられている。
【００５２】
循環路８１は、第１端部（循環水の流入側端部）８１ａと第２端部（循環水の流出側端部）８１ｂとを有する。循環路８１の第１端部８１ａ及び第２端部８１ｂは、ともに電気分解装置４１の容器４７に接続されている。第２端部８１ｂは、容器４７における第１端部８１ａの接続部位よりも上流側の位置にある。
【００５３】
第１端部８１ａは、容器４７の下部に設けられた流入口４６に接続されている。この流入口４６を通じて容器４７内の水（電気分解処理された処理水）の一部が循環路８１に流入する。本実施形態では、流入口４６は、容器４７の底部（下壁４７３）に設けられているが、これに限られない。流入口４６は、容器４７の左壁の下部や右壁４７６の下部などに設けられていてもよい。流入口４６は、水出口４５よりも下方に設けられている。
【００５４】
第２端部８１ｂは、容器４７の下部に設けられた流出口４８に接続されている。この流出口４８を通じて循環路８１を流れる水が容器４７内に流出する。本実施形態では、流出口４８は、容器４７の底部（下壁４７３）に設けられているが、これに限られない。流出口４８は、容器４７の左壁の下部や右壁４７６の下部などに設けられていてもよい。容器４７の下部は、容器の内部空間における高さ方向の中央よりも下方である。
【００５５】
具体的に、本実施形態では、流入口４６及び第１端部８１ａは、最も下流側の電極よりも水の流れの下流側（第２壁部４７２側）に位置している。流出口４８及び第２端部８１ｂは、最も上流側の電極よりも水の流れの上流側（第１壁部４７１側）に位置している。流入口４６及び流出口４８は、電極５１，５２間の水流路に設けられているのではなく、電極５１，５２間の水流路以外の領域に配置されている。
【００５６】
最も下流側の電極とこの電極に対向する壁部（本実施形態では第２壁部４７２）との間にはスペースＳ１が設けられており、このスペースＳ１には、後述する流入抑制部６０が設けられている。また、流入口４６は、スペースＳ１を区画する壁部（本実施形態では第３壁部４７３）に設けられている。スペースＳ１にある水は、流入口４６を通じて循環路８１に流入する。
【００５７】
また、最も上流側の電極とこの電極に対向する壁部（本実施形態では第１壁部４７１）との間にはスペースＳ２が設けられている。流出口４８は、スペースＳ２を区画する壁部（本実施形態では第３壁部４７３）に設けられている。循環路８１を流れる循環水は、流出口４８を通じてスペースＳ２に流入する。
【００５８】
循環機構８０は、制御部３２によって制御される。制御部３２は、撹拌効果を高める観点で、水熱交換器２１に送られる主流の流量Ｇｗよりも上流側に戻される循環流量Ｇｃが多くなるように循環機構８０の循環用ポンプ８２を制御するのが好ましい。例えば、循環流量Ｇｃが主流の流量Ｇｗの５倍以上に設定することができる。具体例として、循環流量Ｇｃを１０Ｌ／分とし、主流の流量Ｇｗを１Ｌ／分とすることができるが、これに限られない。なお、循環流量Ｇｃは、主流の流量Ｇｗと同じであってもよく、主流の流量Ｇｗよりも少なくてもよい。主流の流量Ｇｗは、下流側主経路２７Ｂを流れる水の流量である。循環流量Ｇｃは、循環路８１を流れる水の流量である。
【００５９】
なお、循環路８１の第１端部８１ａが容器４７内に挿入されていてもよく、この場合、第１端部８１ａが流入口４６として機能する。
【００６０】
（第１実施形態の特徴）
図３（Ａ），（Ｂ）は、本発明の第１実施形態における電気分解装置４１を示す断面図である。図３（Ａ）は、電気分解装置４１における要部を、水平方向に平行に切断したときの断面図であり、図３（Ｂ）は、電気分解装置４１における要部を、鉛直方向に平行に切断したときの断面図である。図３（Ｂ）は、図３（Ａ）のＩＩＩＢ−ＩＩＩＢ線断面図である。
【００６１】
第１実施形態では、流入抑制部６０は、電極５１，５２側の空間と流入口４６側の空間とを隔てる１つ又は複数の隔壁（邪魔板）を有する。図３（Ａ），（Ｂ）では、流入抑制部６０は、第１隔壁６１と第２隔壁６２を有するが、図３（Ｃ）に示すように、例えば第２隔壁６２を省略して第１隔壁６１のみが設けられていてもよい。本実施形態では、第１隔壁６１及び第２隔壁６２のそれぞれは、板状の部材であり、電極と平行な姿勢で配置されているが、これに限られない。第１隔壁６１及び第２隔壁６２は、電極として機能するものではない。
【００６２】
第１隔壁６１は、電極５１，５２側の空間と流入口４６側の空間（第２隔壁６１側の空間）とを隔てている。第１隔壁６１は、処理水が第１隔壁６１よりも上流側の空間から隔壁６１よりも下流側の空間に移動するときに通過する第１開口部（第１通水口）６１ａを容器４７内に形成している。本実施形態では、第１開口部６１ａは、容器４７内の下部に設けられているが、これに限られない。第１開口部６１ａは、容器４７内の上部や高さ方向の中央部に設けられていてもよい。ただし、ガスは浮力によって水中を上昇する傾向にあるので、第１開口部６１ａが容器４７内の下部に設けられていることによって、ガスが循環路８１に流入するのを抑制する効果を高めることができる。すなわち、ガスと処理水との分離が促進された状態で処理水は、開口部６１ａを通過する。
【００６３】
また、本実施形態では、第１開口部６１ａは、最下流の電極５２と容器４７の壁部との隙間Ｇ（電極出口）とは、電極５２に平行な水平方向の反対側に設けられている。これにより、処理水の移動距離及び移動時間を長くすることができる。隙間Ｇは、電極５１，５２間の水流路の下流側端部である。
【００６４】
本実施形態では、第１開口部６１ａは、第１隔壁６１の角に設けられた切り欠き部と容器４７の内面とによって形成されているが、これに限られない。例えば、第１開口部６１ａは、第１隔壁６１に設けられた貫通孔などであってもよい。また、本実施形態では、第１開口部６１ａは、１つのみ設けられているが、複数設けられていてもよい。
【００６５】
第２隔壁６２は、第１隔壁６１側の空間と流入口４６側の空間とを隔てている。第２隔壁６２は、処理水が第２隔壁６２よりも上流側の空間から第２隔壁６２よりも下流側の空間に移動するときに通過する第２開口部（第２通水口）６２ａを容器４７内に形成している。本実施形態では、第２開口部６２ａは、容器４７内の下部に設けられているが、これに限られない。第２開口部６２ａは、容器４７内の上部や高さ方向の中央部に設けられていてもよい。ただし、上述した理由から、第２開口部６２ａが容器４７内の下部に設けられていることによって、ガスが循環路８１に流入するのを抑制する効果を高めることができる。
【００６６】
また、本実施形態では、第２開口部６１ａは、第１開口部６１ａとは、第１隔壁６１に平行な水平方向の反対側に設けられている。これにより、処理水の移動距離及び移動時間を長くすることができる。
【００６７】
本実施形態では、第２開口部６２ａは、第２隔壁６２の角に設けられた切り欠き部と容器４７の内面とによって形成されているが、これに限られない。例えば、第２開口部６２ａは、第２隔壁６２に設けられた貫通孔などであってもよい。また、本実施形態では、第２開口部６２ａは、１つのみ設けられているが、複数設けられていてもよい。
【００６８】
本実施形態では、第１開口部６１ａ及び第２開口部６２ａは、図３（Ａ）に示すように、電極５１，５２間の水流路の下流側端部（隙間Ｇ）から出た前記処理水が循環路８１に至るまでに蛇行した経路をたどるような位置に設けられている。
【００６９】
本実施形態では、第１隔壁６１の上部は、最下流の電極５２側と流入口４６側（第２隔壁６２側）とを塞いでおり、第１隔壁６１の下部に設けられた第１開口部６１ａにおいて最下流の電極５２側と流入口４６側とを連通しているが、これに限られない。また、本実施形態では、第２隔壁６２の上部は、第１隔壁６１側と流入口４６側とを塞いでおり、第２隔壁６２の下部に設けられた第２開口部６２ａにおいて第１隔壁６１側と流入口４６側とを連通しているが、これに限られない。また、隔壁の数は、３つ以上であってもよい。第１開口部６１ａ及び第２開口部６２ａは、本実施形態のように角部だけに設けられているのではなく、幅方向全体（水平方向全体）に設けられていてもよい。
【００７０】
（第１実施形態の動作）
次に、第１実施形態における電気分解装置４１及び循環機構８０の動作について説明する。図３（Ａ）に示すように、電気分解装置４１の容器４７内において電極５１，５２間を通過することによってスケール成分の一部又は全部が除去された処理水は、最下流の電極５２と容器４７との隙間Ｇを通過して電極５２と第１隔壁６１との間の第１水流路Ｆ１に流入する。第１水流路Ｆ１に流入した処理水は、第１開口部６１ａに向かって流れる。本実施形態では、第１開口部６１ａは、隙間Ｇとは水平方向反対側の下端部に設けられているので、第１水流路Ｆ１を流れる処理水は、全体的に斜め下方又は水平方向に向かって第１開口部６１ａ側に流れる。
【００７１】
第１開口部６１ａに到達した処理水は、第１隔壁６１と第２隔壁６２との間の第２水流路Ｆ２に流入する。第２水流路Ｆ２に流入した処理水は、第２開口部６２ａに向かって流れる。本実施形態では、第２開口部６２ａは、第１開口部６１ａとは水平方向反対側の下端部に設けられているので、第２水流路Ｆ２を流れる処理水は、全体的に斜め下方又は水平方向に向かって第２開口部６２ａ側に流れる。
【００７２】
第２開口部６２ａに到達した処理水は、第２隔壁６２と壁部４７２（第２壁部４７２）との間の第３水流路Ｆ３に流入する。第３水流路Ｆ３に流入した処理水の一部は、流入口４６に向かって流れて循環路８１に流入し、処理水の残部は、水出口４５に向かって流れて容器４７外に流出する。本実施形態では、流入口４６は、第２開口部６２ａとは水平方向反対側に設けられている。
【００７３】
以上のように、第１実施形態では、第１水流路Ｆ１、第２水流路Ｆ２及び第３水流路Ｆ３が蛇行流路を構成しているので、処理水の移動距離及び移動時間を長くすることができる。したがって、図３（Ｂ）に示すように、処理水に含まれるガスの気泡は、全体的に容器４７内の上部に集まりやすくなるので、ガスが循環路８１に流入するのを抑制できる。
【００７４】
処理水に含まれるガスは、水出口４５から水とともに容器４７外に流出する。また、図２（Ａ）に示すように容器４７の上部にガス排出口５０が設けられている場合には、処理水に含まれるガスの一部又は全部は、ガス排出口５０から容器４７外に排出される。なお、ガス排出口５０は省略可能である。ガス排出口５０は、上壁部（第４壁部４７４）に設けられている。また、ガス排出口５０を設ける位置は、図２（Ａ）のように流入抑制部６０の上方に限られず、例えば流入口４６の上方などであってもよく、電極５１，５２の上方などであってもよい。
【００７５】
ガス排出口５０には、排出管５４が接続されている。排出管５４には、例えば図略の開閉弁などが設けられていてもよい。この開閉弁の開閉動作は、制御部３３により制御される。また、ガス排出口５０には、例えば、ガスを排出しつつ水の流出を阻止する図略のガス透過部材などが設けられていてもよい。ガス透過部材としては、例えば、水の透過を阻止しつつガスを透過させる膜、水の透過を阻止しつつガスを透過させるフィルターなどを用いることができる。具体的に、ガス透過部材としては、例えば中空糸膜を用いることができる。中空糸膜を用いる場合、例えば中空糸の内径、中空糸に設けられている多数の孔の開口径などを適宜調節することにより、中空糸膜に水の透過を阻止しつつガスを透過させる特性を付与することができる。
【００７６】
また、容器４７内を流れる水が撹拌される効果を高めるために循環流量Ｇｃを、主流の流量Ｇｗよりも大きくする場合には、流入口４６に向かう水の流速や流量が大きくなるので、ガスも流入口４６側に引き寄せられやすくなる。このような場合であっても、本実施形態における電気分解装置４１を採用することによって、循環路８１にガスが流入するのを抑制することができる。この効果については、他の実施形態においても同様に得られる。
【００７７】
なお、図１０（Ａ），（Ｂ）に示す参考例の電気分解装置では、本実施形態のような流入抑制部が設けられていないので、循環路８１にガスが流入しやすい。
【００７８】
（第２実施形態の特徴）
図４（Ａ），（Ｂ）は、本発明の第２実施形態における電気分解装置４１を示す断面図である。図４（Ａ），（Ｂ）に示す第２実施形態では、流入抑制部６０は、電極５１，５２と流入口４６との間に設けられたトラップ部材６３を有する。トラップ部材６３は、容器４７内において、処理水がトラップ部材６３よりも上流側の空間からトラップ部材６３よりも下流側の空間に移動するときに、処理水に含まれるガスの一部をトラップする。トラップ部材は、最下流の電極５２と流入口４６との間に設けられている。
【００７９】
具体的に、図例のトラップ部材６３は、複数の柱状部材６３１によって構成されている。複数の柱状部材６３１は、互いに間隔をあけて配置されている。本実施形態では、各柱状部材６３１は、鉛直方向に延びる姿勢で配置されているが、これに限られず、例えば水平方向に延びる姿勢で配置されていてもよく、鉛直方向に対して傾斜する姿勢で配置されていてもよい。各柱状部材６３１は、例えば円柱形状、角柱形状などを呈している。本実施形態では、複数の柱状部材６３１は、最下流の電極５２に沿って配列されている。複数の柱状部材６３１は、電極５２との間に隙間をあけて配置されている。
【００８０】
柱状部材６３１の表面は、処理水に含まれるガス（気泡）をトラップするトラップ面６３ａとして機能する。柱状部材６３１のトラップ面６３ａは、隣の柱状部材６３１のトラップ面６３ａとの間に隙間が設けられている。
【００８１】
（第２実施形態の動作）
次に、第２実施形態における電気分解装置４１及び循環機構８０の動作について説明する。図４（Ａ）に示すように、電気分解装置４１の容器４７内において電極５１，５２間を通過することによってスケール成分の一部又は全部が除去された処理水は、最下流の電極５２と容器４７との隙間Ｇ（電極５１，５２間の水流路の下流側端部）を通過してトラップ部材６３に向かって流れる。そして、処理水がトラップ部材６３の隣り合う柱状部材６３１，６３１の隙間を通過するときに、処理水に含まれるガス（気泡）の一部がトラップ面６３ａに付着する。したがって、トラップ部材６３を通過した処理水に含まれるガスの量は、トラップ部材６３を通過する前に比べて減少する。これにより、ガスが循環路８１に流入するのを抑制できる。
【００８２】
処理水に含まれるガスは、水出口４５から水とともに容器４７外に流出する。また、図２（Ａ）に示すように容器４７の上部にガス排出口５０が設けられている場合には、処理水に含まれるガスの一部又は全部は、ガス排出口５０から容器４７外に排出される。なお、ガス排出口５０は省略可能である。
【００８３】
（第３実施形態の特徴）
図５（Ａ），（Ｂ）は、本発明の第３実施形態における電気分解装置４１を示す断面図である。図５（Ａ），（Ｂ）に示す第３実施形態は、流入抑制部６０が、電極５１，５２と流入口４６との間に設けられたトラップ部材６３を有する点で第２実施形態と同様であるが、トラップ部材６３の構造が第２実施形態と異なっている。
【００８４】
第３実施形態では、トラップ部材６３は、多数の貫通孔６３ｂを有する。トラップ部材６３は、容器４７内において、処理水がトラップ部材６３よりも上流側の空間からトラップ部材６３よりも下流側の空間に移動するときに、処理水に含まれるガスの一部をトラップする。トラップ部材６３は、最下流の電極５２と流入口４６との間に設けられている。トラップ部材６３は、電極５２に対して平行な姿勢で配置されているが、これに限られず、電極５２に対して傾斜した姿勢で配置されていてもよい。また、本実施形態では、トラップ部材６３は、図５（Ｂ）に示す断面において、容器４７内の全体に設けられているが、これに限られず、容器４７内の一部に設けられているだけでもよい。
【００８５】
トラップ部材６３としては、例えば網状の部材などが例示できるが、これに限られない。トラップ部材６３の具体例として、繊維状のエアフィルタなどが例示できるが、これに限られない。トラップ部材６３としては、例えば板状部材に多数の貫通孔が設けられたものであってもよい。
【００８６】
（第３実施形態の動作）
次に、第３実施形態における電気分解装置４１及び循環機構８０の動作について説明する。図５（Ａ）に示すように、電気分解装置４１の容器４７内において電極５１，５２間を通過することによってスケール成分の一部又は全部が除去された処理水は、最下流の電極５２と容器４７との隙間Ｇ（電極５１，５２間の水流路の下流側端部）を通過してトラップ部材６３に向かって流れる。そして、処理水がトラップ部材６３の複数の貫通孔６３ｂを通過するときに、処理水に含まれるガス（気泡）の一部がトラップ部材６３に付着する。したがって、トラップ部材６３を通過した処理水に含まれるガスの量は、トラップ部材６３を通過する前に比べて減少する。これにより、ガスが循環路８１に流入するのを抑制できる。
【００８７】
処理水に含まれるガスは、水出口４５から水とともに容器４７外に流出する。また、図２（Ａ）に示すように容器４７の上部にガス排出口５０が設けられている場合には、処理水に含まれるガスの一部又は全部は、ガス排出口５０から容器４７外に排出される。なお、ガス排出口５０は省略可能である。
【００８８】
（第４実施形態の特徴）
図６（Ａ），（Ｂ）は、本発明の第４実施形態における電気分解装置４１を示す断面図である。第４実施形態では、流入抑制部６０は隔壁６４を有する。図６（Ａ），（Ｂ）に示す隔壁６４は、流入口４６の全周を囲むように上方に筒状に延びるとともに上部が塞がれているが、これに限られない。例えば図６（Ｃ）に示すように、流入口４６の周囲のうち、電極側の領域のみを囲むように上方に延びる隔壁６４が設けられていてもよい。
【００８９】
図６（Ａ），（Ｂ）に示す隔壁６４には、電極５１，５２側とは反対側に通水孔６４ａが設けられている。筒状の隔壁６４は、例えば循環路８１と一体の部材によって構成されていてもよい。この場合、循環路（ポンプ吸込配管）８１の第１端部８１ａが容器４７内に突出するように循環路８１が配置される。また、筒状の隔壁６４は、循環路８１とは別体の部材であってもよい。
【００９０】
本実施形態では、ガスが通水孔６４ａを通じて隔壁６４内に流入しにくくするために、通水孔６４ａは、隔壁６４の高さ方向の中央よりも下方に設けられているが、これに限られない。また、本実施形態では、ガスが通水孔６４ａを通じて隔壁６４内に流入しにくくするために、通水孔６４ａの開口面積は、流入口４６の開口面積よりも小さいが、これに限られない。
【００９１】
（第４実施形態の動作）
次に、第４実施形態における電気分解装置４１及び循環機構８０の動作について説明する。図６（Ａ）に示すように、電気分解装置４１の容器４７内において電極５１，５２間を通過することによってスケール成分の一部又は全部が除去された処理水は、最下流の電極５２と容器４７との隙間Ｇ（電極５１，５２間の水流路の下流側端部）を通過して隔壁６４に向かって流れる。そして、処理水は、循環路８１に流入するためには、その前に、隔壁６４の通水孔６４ａを通じて隔壁６４内に流入する必要がある。したがって、隔壁６４の近傍まで到達した処理水は、図６（Ａ）に示すように、隔壁６４の裏側に周り込むようにして通水孔６４ａに到達する。このように第４実施形態では、処理水の移動距離及び移動時間を長くすることができる。したがって、図６（Ｂ）に示すように、処理水に含まれるガスの気泡は、全体的に容器４７内の上部に集まりやすくなるので、ガスが循環路８１に流入するのを抑制できる。
【００９２】
処理水に含まれるガスは、水出口４５から水とともに容器４７外に流出する。また、図２（Ａ）に示すように容器４７の上部にガス排出口５０が設けられている場合には、処理水に含まれるガスの一部又は全部は、ガス排出口５０から容器４７外に排出される。なお、ガス排出口５０は省略可能である。
【００９３】
（変形例）
図７（Ａ）は、電気分解装置４１及び循環機構８０の変形例１を示す断面図である。図７（Ａ）に示す変形例１では、循環路８１に処理水が流入する流入口４６は、電気分解装置４１の容器４７に設けられているのではなく、容器４７の水出口４５に接続されている入水配管２７（下流側主経路２７Ｂ）に設けられている。また、循環路８１の水が流出する流出口４８は、電気分解装置４１の容器４７に設けられているのではなく、容器４７の水入口４３に接続されている入水配管２７（上流側主経路２７Ａ）に設けられている。
【００９４】
図７（Ｂ）は、電気分解装置４１及び循環機構８０の変形例２を示す断面図である。図７（Ｂ）に示す変形例２では、循環路８１に処理水が流入する流入口４６は、電気分解装置４１の容器４７に設けられている。循環路８１の水が流出する流出口４８は、電気分解装置４１の容器４７に設けられているのではなく、容器４７の水入口４３に接続されている入水配管２７（上流側主経路２７Ａ）に設けられている。
【００９５】
図７（Ｃ）は、電気分解装置４１及び循環機構８０の変形例３を示す断面図である。図７（Ｃ）に示す変形例３では、循環路８１に処理水が流入する流入口４６は、電気分解装置４１の容器４７に設けられているのではなく、容器４７の水出口４５に接続されている入水配管２７（下流側主経路２７Ｂ）に設けられている。また、循環路８１の水が流出する流出口４８は、電気分解装置４１の容器４７に設けられている。
【００９６】
図８（Ａ）は、電気分解装置４１及び循環機構８０の変形例４を示す断面図である。図８（Ａ）に示す変形例４では、流入口４６及び流出口４８は共に、電気分解装置４１の容器４７に設けられている。流入口４６は、最下流の電極よりも下流側に設けられている。流出口４８は、上述した各実施形態や各変形例のように最上流の電極よりも上流側に設けられているのではなく、電極５１，５２間に設けられている。
【００９７】
図８（Ｂ）は、電気分解装置４１及び循環機構８０の変形例５を示す断面図である。図８（Ｂ）に示す変形例５では、複数の電極５１、５２は、蛇行流路を形成していない。各電極は、水入口４３から水出口４５に向かう方向に平行な姿勢で配置されている。
【００９８】
変形例１〜５では、流入抑制部６０として例えば第１実施形態〜第４実施形態において例示した流入抑制部６０などを採用することができる。また、変形例１〜５では、例えば図２（Ａ）に示すようなガス排出口５０が容器４７の上部に設けられていてもよい。
【００９９】
＜実施形態のまとめ＞
以上説明したように、各実施形態及び各変形例では、電気分解装置４１の容器４７内において電極５１，５２よりも下流側に流入抑制部６０が設けられており、流入抑制部６０は、電気分解処理された水（処理水）に含まれるガスが循環路８１に流入するのを抑制するので、循環用ポンプ８２によって循環される水量の低下を抑制するこができる。これにより、循環水が容器４７内に供給されるときの水を撹拌する機能の低下が抑制されるので、電気分解の効率を高めることができる。
【０１００】
図１０（Ａ），（Ｂ）に示す参考例では、ガスが循環路８１に流入することに起因するポンプ流量低下率が３割であるのに対し、第１実施形態〜第４実施形態では、ガスが循環路８１に流入することに起因するポンプ流量低下率は１．５割程度に改善される。これにより、第１実施形態〜第４実施形態では、参考例に比べて電気分解の性能（スケール除去効率）が１０％程度改善される。また、第１実施形態〜第４実施形態のうちの複数の実施形態の流入抑制部６０を併用した場合、ポンプ流量低下率はほぼゼロに改善される。
【０１０１】
また、各実施形態及び各変形例のように、容器４７の下部に、循環路８１に処理水の一部が流入する流入口４６が設けられているのが好ましい。この場合には、処理水に含まれるガスは、水中において浮力を受けて上昇する傾向にあるので、流入口４６が容器４７の下部に設けられていることにより、ガスが循環路８１に流入しにくくなる。
【０１０２】
第１実施形態及び各変形例では、邪魔板の存在により電極出口（隙間Ｇ）に到達したガスは、循環ポンプ８２に直接吸込まれるのが抑制され、水中を上昇して排気される。したがって、ポンプのガス吸込み量が減り、ポンプの流量低下が抑制されるので、循環機構８０による容器４７内の攪拌機能低下が抑制される。
【０１０３】
第１実施形態及び各変形例では、流入抑制部６０は、電極５１，５２側と流入口４６側とを隔てる隔壁６１を含み、隔壁６１は、処理水が隔壁６１よりも上流側の空間から隔壁６１よりも下流側の空間に移動するときに通過する開口部６１ａを容器４７内に形成している。この構成では、隔壁６１が電極５１，５２側の空間と流入口４６側の空間とを隔てており、処理水は、隔壁６１によって形成された開口部６１ａを通じて下流側に移動する。したがって、この構成では、隔壁６１が設けられていない場合に比べて、処理水が下流側に移動するときの抵抗が大きくなり、処理水が下流側に移動するときの移動距離や移動時間を長くすることができる。移動距離や移動時間が長くなると、その間に、浮力によって上昇して流入口４６から遠ざかるガスの量を増加させることができるので、循環路８１に流入するガスの量を低減することができる。
【０１０４】
第１実施形態及び各変形例では、流入抑制部６０は、隔壁６１側と流入口４６側とを隔てる第２隔壁６２をさらに含み、第２隔壁６２は、処理水が第２隔壁６２よりも上流側の空間から第２隔壁６２よりも下流側の空間に移動するときに通過する第２開口部６２ａを容器４７内に形成しており、隔壁６１の開口部６１ａは、水平方向一方側に設けられており、第２隔壁６２の第２開口部６２ａは、水平方向他方側に設けられている。この構成では、隔壁６１と第２隔壁６２とによって水平方向の一方側から他方側への処理水の移動経路が形成されている。したがって、処理水が下流側に移動するときの移動距離や移動時間を効果的に長くすることができる。これにより、浮力によって上昇して流入口４６から遠ざかるガスの量をさらに増加させることができるので、循環路８１に流入するガスの量をさらに低減することができる。
【０１０５】
第２実施形態、第３実施形態及び各変形例では、流入抑制部６０は、電極５１，５２と流入口４６との間に設けられたトラップ部材６３を含んでおり、トラップ部材６３は、容器４７内において、処理水がトラップ部材６３よりも上流側の空間からトラップ部材６３よりも下流側の空間に移動するときに、処理水に含まれるガスの一部をトラップする。この構成では、処理水の一部が流入口４６に至るまでに、トラップ部材６３によって処理水に含まれるガスの一部がトラップされるので、循環路８１に流入するガスの量を低減することができる。
【０１０６】
第２実施形態、第３実施形態及び各変形例では、トラップ部材６３は、抵抗体として機能する。このような抵抗体が設けられていることにより、電極出口（隙間Ｇ）に到達したガスは、循環ポンプ８２に直接吸込まれるのが抑制され、抵抗体に付着した後に水中を上昇するか、又は抵抗体に付着せずにそのまま水中を上昇し、排気される。これにより、循環ポンプ８２のガス吸込み量が減り、循環ポンプ８２の流量低下が低減される。その結果、循環機構８０の機能である容器４７内の攪拌機能の低下が抑制される。
【０１０７】
第２実施形態及び各変形例では、トラップ部材６３は、互いに間隔をあけて設けられた複数のトラップ面６３ａを有する。この構成では、処理水がトラップ部材６３よりも上流側の空間からトラップ部材６３よりも下流側の空間に移動するときに、処理水に含まれるガスの一部がトラップ面６３ａに気泡の状態で付着する。これにより、循環路８１に流入するガスの量を低減することができる。
【０１０８】
第３実施形態及び各変形例では、トラップ部材６３は、多数の貫通孔６３ｂを有する。この構成では、処理水がトラップ部材６３よりも上流側の空間からトラップ部材６３よりも下流側の空間に移動するときに、処理水に含まれるガスの一部が貫通孔６３ｂ又はその近傍に気泡の状態で付着する。これにより、循環路８１に流入するガスの量を低減することができる。
【０１０９】
第４実施形態及び各変形例では、流入口４６は、容器４７の底部に設けられており、水出口４５は、流入口４６よりも上方に設けられており、流入抑制部６０は、流入口４６の周囲のうち、少なくとも電極側の領域に設けられて上方に延びる隔壁６４を含んでいる。この構成では、隔壁６４が流入口４６の電極側の領域に設けられているので、処理水の一部は、隔壁６４を回り込むようにして流入口４６側に移動する必要がある。したがって、この構成では、隔壁６４が設けられていない場合に比べて、処理水が流入口４６側に移動するときの抵抗が大きくなり、処理水が流入口４６側に移動するときの移動距離や移動時間を長くすることができる。移動距離や移動時間が長くなると、その間に、浮力によって上昇して流入口４６から遠ざかるガスの量を増加させることができるので、循環路８１に流入するガスの量を低減することができる。
【０１１０】
第４実施形態及び各変形例では、隔壁６４は、流入口４６の全周を囲むように上方に筒状に延びるとともに上部が塞がれており、隔壁６４における電極側とは反対側に通水孔６４ａが設けられている。この構成では、処理水の一部が流入口４６にたどり着くためには、電極側とは反対側に設けられた通水孔６４ａを通じて隔壁６４内に流入する必要がある。したがって、この構成では、処理水が流入口４６側に移動するときの移動距離や移動時間をさらに長くすることができる。これにより、循環路８１に流入するガスの量をさらに低減することができる。
【０１１１】
第４実施形態及び各変形例では、通水孔６４ａの開口面積は流入口４６の開口面積よりも小さい。この構成では、通水孔６４ａの開口面積が上記のように小さいので、処理水が通水孔６４ａに流入するときの抵抗がさらに大きくなる。抵抗が大きくなると、処理水が通水孔６４ａに流入するのに要する時間も長くなる傾向にあるので、循環路８１に流入するガスの量をさらに低減することができる。
【０１１２】
各実施形態及び各変形例では、容器４７の上部には、容器４７内のガスを容器４７外に排出するガス排出口５０が設けられている。流入抑制部６０によって循環路８１への流入が阻止されたガスは、水出口４５を通じて水とともに容器４７外に排出されてもよいが、本構成のようにガス排出口５０が容器４７の上部に設けられている場合には、このガス排出口５０からガスを効率よく排出することができる。
【０１１３】
＜他の変形例＞
なお、本発明は、前記実施形態に限られるものではなく、その趣旨を逸脱しない範囲で種々変更、改良等が可能である。
【０１１４】
例えば、第１実施形態〜第４実施形態における流入抑制部６０のうちから選ばれる２つ以上の流入抑制部６０を組み合わせて用いることもできる。
【０１１５】
また、前記実施形態では、ヒートポンプ給湯機１１の水の流路において、メインポンプ３１よりも下流側で水熱交換器２１よりも上流側に位置する入水配管２７に電気分解装置４１を設ける場合を例に挙げて説明したが、これに限定されない。電気分解装置４１は、水の流路において水熱交換器２１よりも上流側に設けられていればよい。具体的に、電気分解装置４１は、例えばメインポンプ３１よりも上流側の入水配管２７に設けられていてもよく、また、給水源からタンク１５に水を供給する給水配管３７に設けられていてもよい。
【０１１６】
前記実施形態では、容器４７が略直方体の形状を有している場合を例に挙げて説明したが、これに限定されない。容器４７は、直方体以外の角柱形状であってもよく、円柱形状であってもよい。
【０１１７】
また、前記実施形態では、一過式の給湯機を例に挙げて説明したが、これに限定されない。本発明は、例えば給湯配管３５から給湯された水（湯）の一部が再びタンク１５に戻されるタイプの給湯機にも適用することができる。
【０１１８】
また、前記実施形態では、温度調節水供給機がヒートポンプ給湯機１１である場合を例示したが、これに限定されない。温度調節水供給機としては、スケール成分を除去する必要がある他の用途、例えばヒートポンプ温水暖房機、燃焼式給湯機、電気温水機、冷却塔などにも適用することができる。
【０１１９】
前記ヒートポンプ温水暖房機では、例えば図１に示す構成図において、タンク１５内に貯留された高温の水が暖房用途などに用いられる。
【０１２０】
前記燃焼式の給湯機は、図９に示すように、容器４７内において電極５１、５２よりも下流側に設けられた流入抑制部６０を有する電気分解装置４１と、循環機構８０と、電気分解装置４１よりも下流側に設けられる水熱交換器２１Ａとを備える。燃焼式の給湯機では、水熱交換器２１Ａにおいて燃料用のガスなどを燃焼させることにより得られる熱エネルギーを用いて水が加熱される。
【０１２１】
また、前記電気温水機は、図９に示すように、容器４７内において電極５１、５２よりも下流側に設けられた流入抑制部６０を有する電気分解装置４１と、循環機構８０と、電気分解装置４１よりも下流側に設けられる水熱交換器２１Ａとを備える。前記電気温水機では、水熱交換器２１Ａにおいて電気エネルギーを用いて水が加熱される。
【０１２２】
前記冷却塔は、例えば図９に示すように、容器４７内において電極５１、５２よりも下流側に設けられた流入抑制部６０を有する電気分解装置４１と、循環機構８０と、電気分解装置４１よりも下流側に設けられる水熱交換器２１Ａとを備える。前記冷却塔では、水熱交換器２１Ａにおいて、他の装置で発生した熱を搬送してきた流体と熱交換することにより水が加熱される。
【０１２３】
なお、図９では、循環機構８０の循環路８１は、容器４７に接続されているが、これに限られず、上述した各種変形例において示される種々の接続部位に接続されていてもよい。
【符号の説明】
【０１２４】
１１  温度調節水供給機
１３  ヒートポンプユニット
２１  水熱交換器
４１  電気分解装置
４３  水入口
４５  水出口
４６  流入口
４７  容器
４８  流出口
４９  電極対
５０  ガス排出口
５１  電極
５２  電極
６０  流入抑制部
６１  第１隔壁
６１ａ  第１開口部
６２  第２隔壁
６２ａ  第２開口部
６３  トラップ部材
６３１  柱状部材
６３ａ  トラップ面
６３ｂ  貫通孔
６４  隔壁
６４ａ  通水孔
８０  循環機構
８１  循環路
８２  循環用ポンプ
【図１】
2014129946.tif 000003
【図２】
2014129946.tif 000004
【図３】
2014129946.tif 000005
【図４】
2014129946.tif 000006
【図５】
2014129946.tif 000007
【図６】
2014129946.tif 000008
【図７】
2014129946.tif 000009
【図８】
2014129946.tif 000010
【図９】
2014129946.tif 000011
【図１０】
2014129946.tif 000012